(57)【要約】      （修正有）【課題】バストを支えると共にバストの形を整える為にブラジャーのカップ下側外周縁部に取付けるチャネルを提供する。【解決手段】チャネル１は円弧状に湾曲した形状でポリエステル短繊維を素材として使用し、無数のポリエステル短繊維が立体的に交錯すると共に交錯点の少なくとも一部は固着し、内部には空気と水蒸気が通過するように無数の隙間を形成した構造としている。【選択図】図１
0003200679.tif 000002
【実用新案登録請求の範囲】
【請求項１】
バストを支えると共にバストの形を整える為にブラジャーのカップ下側外周縁部取付けるチャネルにおいて、
該チャネルは円弧状に湾曲した形状でポリエステル短繊維を素材として使用し、無数のポリエステル短繊維が立体的に交錯すると共に交錯点の少なくとも一部は固着し、内部には空気と水蒸気が通過するように無数の隙間を形成した構造としたことを特徴とするブラジャーのカップ下側外周縁部に取付けるチャネル。
【請求項２】
上記カップを弾力性に優れたポリウレタン製とし、該カップの下側外周縁部を切り込んだ溝に挟み込むと共に、加熱成形することで該カップに溶着して固定した請求項１記載のブラジャーのカップ下側外周縁部に取付けるチャネル。
【考案の詳細な説明】
【技術分野】
【０００１】
本考案はブラジャーのカップ下側外周縁部に取付けられるチャネルに関するものである。上記チャネルとはカップ下側外周縁部の形状を保持するために取付けられる一種の心材である。
【背景技術】
【０００２】
ブラジャーは女性の下着の１つであり、バストを支えると共に該バストの形を整える為に着用されている。ブラジャーとしての基本的な形状は共通しており、左右には互いに連結した両カップを有し、該カップからバックパネルを延ばして先端にはフック−アイを設け、又カップ上方には肩ストラップを延ばしてバックパネルと連結している。
【０００３】
図７は従来の一般的なブラジャーであり、(ａ)は正面図、(ｂ)は背面図を表しているが、近年のブラジャーはバスト形状を整える為に、カップ（イ）、（イ）の下縁には円弧状に湾曲したチャネルとして機能するワイヤーを挿通する為のワイヤーループ（ロ）、（ロ）が設けられ、又上辺テープ（ハ）、（ハ）及び下辺テープ（ニ）が設けられている。ブラジャーの表面はその外観を向上させる為に、レース生地を縫い付けたり、色々な模様を設けるなどの工夫が施されているが、内側面の工夫は殆んどなされていないのが実状であり、上記ワイヤーループ（ロ）、（ロ）、上辺テープ（ハ）、下辺テープ（ニ）、ボーンケース（ホ）、（ホ）・・が露出している。
【０００４】
したがって、長時間にわたってブラジャーを着用すれば、上記ワイヤーループ（ロ）や上辺テープ（ハ）、下辺テープ（ニ）などが肌に当って食い込み、ブラジャーを外した場合にはその跡が残ってしまう。そして、ブラジャーの生地は化学繊維で構成している糸を織編した生地が用いられることから肌に合わず、着用に際してアレルギーが出る人も少なくない。又、カップ（イ）、バックパネル（ヘ）、（ヘ）は汗をかきやすく、ムレ感が生じる。
【０００５】
特にカップ周囲に設けたワイヤーループ（ロ），（ロ）に挿入したワイヤーは硬く、カップ（イ）、（イ）の形状を保つ効果は多少あるが、該ブラジャーを着用するとバスト周囲に食込んで窮屈感を覚える。また、ブラジャーを外した際にバスト周囲に跡が残る。そこで、このような問題を解決したブラジャーが色々開発されている。
【０００６】
図８は上記ワイヤーループ（ロ）に挿入して取付けられるワイヤー（ト）を示しているが、該ワイヤー（ト）は同図に示すように円弧状に湾曲している。ワイヤー（ト）をワイヤーループ（ロ）に嵌めてセットすることで、カップ下側外周縁部の形は崩れないように円弧状に拘束される。しかし、カップ（イ）のお椀形形状が崩れないように保持することは出来ない。
【０００７】
特開２００３−３４２８０５号に係る「カップ部を有する衣類」は、従来のブラジャー等の場合、カップ部の下方周辺部と土台部が一体化連結されているために、カップ部の下方周辺部に装着されたワイヤーが歪んで肌側に苦痛を与える恐れがあり、またカップ部と土台部が一体的に動くためにカップ部に過大な歪みや応力が加わり、乳房が強く圧迫される等の課題があった。
【０００８】
そこで、カップ部の下方周辺部と土台部との境界部に伸縮性に富んだメッシュ生地を介在、縫着させることにより、バストへの歪みや圧迫感をなくし、ボリュームアップや補正効果並びにフィット性等着用感に優れたカップ部を有する衣類が得られるようにしている。
【特許文献１】特開２００３−３４２８０５号に係る「カップ部を有する衣類」
【考案の開示】
【考案が解決しようとする課題】
【０００９】
このように、カップ周囲に設けたチャネルとしてのワイヤーが肌に食い込んで跡が残らないような色々な工夫は行われている。しかし、ワイヤーを取付けている限り肌への食い込み完全に防止することは容易でない。本考案が解決しようとする課題はこの問題点であり、従来のようなワイヤーを用いることなく、しかも、カップの形状が崩れないように、また着用時に窮屈感を覚えないように構成したブラジャーのカップチャネルを提供する。
【課題を解決するための手段】
【００１０】
本考案が対象とするブラジャーとしての基本形態は従来と同じであって両カップを有し、カップ下側周縁部にはチャネルを取付けている。しかし、本考案のチャネルは従来のような金属製のワイヤーではなく、ポリエステルを素材として構成している。そして、チャネルは従来のワイヤーと同じくカップ下側周縁になじむように円弧状に湾曲した概略半円形の形状としている。
【００１１】
チャネルの素材はポリエステルの短繊維であり、このポリエステル短繊維を立体的に交錯し、交錯点の少なくとも一部は固着されていて、従来の不織布や硬わたに比べて繊維の結合が強くてしなやかと成っている。外から作用する外力に対して、如何なる方向からの圧力にも柔軟に対応し、引張っても圧縮してもフレキシブルな弾力性を呈することが出来る。ところで、チャネルは上記素材を用いて金型で加熱成形したものである。
【考案の効果】
【００１２】
本考案のチャネルは円弧状に湾曲したものであるが、金属製ワイヤーのように細くなく、その為にカップ下側外周縁に取付けてブラジャーを着用しても肌に食い込むことはなく、着用感は良好と成る。
該チャネルはポリエステル短繊維を立体的に交錯したものを加熱成形したものであり、その為に如何なる外力が働いて変形した場合でも、外力が無くなるならば元の形に戻る復元性は高い。そして、該チャネルをカップ下側外周縁に固着するならば、カップと位置ズレはなく、該カップの形崩れが防止され、カップ全体の形状を保つことが出来る。
【図面の簡単な説明】
【００１３】
【図１】本考案に係るチャネルを示す実施例。
【図２】チャネルを構成するポリエステル短繊維が交錯している組織図。
【図３】チャネルを製作する工程。
【図４】本考案に係るチャネルを取付けたブラジャーで、(ａ)は正面図、(ｂ)は背面図。
【図５】ブラジャー正面部の展開図。
【図６】（ａ）はカップの具体例、（ｂ）は下側外周縁部の断面拡大図。
【図７】従来の一般的なブラジャー。
【図８】従来の金属製ワイヤーで構成されるチャネル。
【考案を実施するための形態】
【００１４】
図１は本考案に係るチャネル１を示す実施例である。該チャネル１の形状は従来と同じく滑らかに湾曲した概略円弧状を成し、ブラジャーのカップ下側外周縁になじむことが出来る。このチャネル１はカップ下側外周縁に取付けられ、カップの形崩れを防止すると共にバストをサポートすることが出来る。基本的な形態は従来のワイヤーと同じであるが、本考案のチャネルは金属製でなく、その為に太さは大きく成っている。
【００１５】
ところで、該チャネル１はポリエステル短繊維が立体的に交錯し、各短繊維の交錯点が固着した組織構造体として構成されている材料を用いて成形されている。従来の不織布や硬わたに比べて短繊維の結び付き方が強く、しかもしなやかである。したがって、外部からのあらゆる方向の外力に対して柔軟に対応し、引っ張っても、圧縮しても、フレキシブルな弾力性を呈すことが出来る。
無数のポリエステル短繊維を立体的に交錯して構成される組織構造を有す材料としては、例えば帝人の「エルク」（登録商標）を使用することが出来る。
【００１６】
図２は該チャネル１を構成するポリエステル短繊維が立体的に交錯している組織を示す拡大図を表している。同図の２ａ，２ｂ，２ｃ・・・はポリエステル短繊維を示しており、これら無数のポリエステル短繊維２ａ，２ｂ，２ｃ・・・は湾曲してランダムに絡み合い、立体的に交錯している。
【００１７】
そして、絡み合う短繊維の交錯点の少なくとも一部は互いに固着している。したがって、互いに交錯したポリエステル短繊維２ａ，２ｂ，２ｃ・・・は立体化し、絡み合った各ポリエステル短繊維２ａ，２ｂ，２ｃ・・・の間には無数の隙間３ａ，３ｂ，３ｃ・・・が形成される。このような組織として構成することで、チャネル１はしなやかとなり、外部からのあらゆる方向の外力に対して柔軟に対応し、引張っても圧縮しても、フレキシブルな弾力性を呈すことが出来る。
【００１８】
ところで、無数のポリエステル短繊維２ａ，２ｂ，２ｃ・・・を立体的に交錯して一定厚さのポリエステル短繊維板４を作り、このポリエステル短繊維板４を加熱状態の上下金型にて挟んで円弧状に湾曲したチャネル１ａ，１ｂを成形することが出来る。図３はポリエステル短繊維板４を用いてチャネル１ａ，１ｂを成形する工程を示す具体例である。
【００１９】
ポリエステル短繊維板４は一定厚さの長方形を成し、このポリエステル短繊維板４を対を成す下金型と上金型によって挟み込んで加圧するならば、図３（ｂ）に示すように一部が膨れ上がって盛り上がり部５ａ，５ｂが成形される。
すなわち、上金型面と下金型面には円弧状の溝が設けられ、この溝の部分が盛り上がって成形される。そして、盛り上がった円弧状の部分が裁断（切断）されることで図３（ｃ）に示すようなチャネル１ａ，１ｂが出来上がる。
【００２０】
上記チャネル１ａ，１ｂはポリエステル短繊維２ａ，２ｂ，２ｃ・・・を素材としたものであり、該ポリエステル短繊維２ａ，２ｂ，２ｃ・・・が立体的に交錯し、各交錯点の一部は固着した構造としている。したがって、圧縮を繰り返しても良好な反発性を有し、その形が崩れることはない。さらに、短繊維が互いに交錯した立体構造である為に、図２に示すように無数の隙間３ａ，３ｂ，３ｃ・・・が存在し、この隙間３ａ，３ｂ，３ｃ・・・を空気や水蒸気が通過する。
【００２１】
このようにポリエステル短繊維２ａ，２ｂ，２ｃ・・・の立体構造を形成したポリエステル短繊維板４を材料として成形したチャネル１ａ，１ｂは、ブラジャーのカップの下側外周縁部に取付けることが出来る。
本考案では該チャネル１ａ，１ｂを取付けるブラジャーの具体的な形態並びに取付け構造は特に限定しないが、例えばポリウレタン製のカップ下側外周縁部を切込み、切り込んだ溝にチャネル１ａ，１ｂを挟み込み、表生地と裏生地と共に加熱成形することが出来る。したがって、ポリウレタンから成るカップはチャネル１ａ，１ｂと溶着して固定され、該チャネル１ａ，１ｂはカップの下側外周縁部に固定される。
【００２２】
図４は本考案のチャネルを取付けたブラジャーであり、(ａ)は正面図、(ｂ)は内側（裏面側）を表している背面図である。該ブラジャーの基本的な形態は前記図７に示した従来のものと共通し、正面には両カップ６ａ，６ｂが左右対称に配置され、両カップ６ａ，６ｂは正面パネル７によって繋がれている。
そして、両カップ６ａ，６ｂの外側には上記正面パネル７からバックパネル８ａ，８ｂが連続して延びている。
【００２３】
バックパネル８ａの先端にはフックが取付けられている連結部９ａを有し、バックパネル８ｂの先端にはアイが取付けられている連結部９ｂを有している。また、カップ６ａ，６ｂの上部からストラッ１０ａ，１０ｂが延び、先端は上記バックパネル８ａ，８ｂに繋がっている。
【００２４】
図５は上記ブラジャーの展開図であり、同図の６ａ，６ｂはカップ、１１は表生地、１２は裏生地、そして１ａ，１ｂはチャネルをそれぞれ表わしている。
同図ではストラップ１０ａ，１０ｂは省略しているが、ブラジャーの正面部は上記各部材を重ね合せて構成される。ただし、同図に示すカップ６ａ，６ｂ、表生地１１、裏生地１２、そしてチャネル１ａ，１ｂの具体的な形状は特に限定するものではない。
【００２５】
該カップ６ａ，６ｂはポリウレタン製の概略お椀形を成し、上記チャネル１ａ，１ｂはポリエステル短繊維２ａ，２ｂ，２ｂ・・・を用いて円弧状に湾曲した成形品で、上記カップ６ａ，６ｂの下側外周縁に取付けられる。しかも、該カップ６ａ，６ｂと一体化して位置ズレすることはないように固定され、そして該チャネル１ａ，１ｂを取付けたカップ６ａ，６ｂは表生地１１と裏生地１２に接着され、フロント部が構成される。
【００２６】
上記カップ６ａ，６ｂは軽くて弾力性に優れたポリウレタンを用いて所定のお椀形に成形され、該カップ６ａ，６ｂの下側外周縁部を切り込んで溝を作り、この溝に上記チャネル１ａ，１ｂを挟み込んで取付けられる。図６は該カップ６ａとそのＡ−Ａ断面拡大図を表しているように、該チャネル１ａはカップ６ａの下側外周縁部に位置ズレしないように固定される。すなわち、加熱成形されることでチャネル１ａはポリウレタン製のカップ６ａと溶着する。
【００２７】
カップ６ａ，６ｂにチャネル１ａ，１ｂを取付けたブラジャーは、折畳んでも丸めても復元性があり、着用時にその形が崩れることはない。しかも、チャネル１ａ，１ｂはカップ６ａ，６ｂに固着されて一体化し、従ってブラジャーを折畳んでも、丸めても、カップ６ａ，６ｂとの位置ズレは発生せず、その為に該カップ６ａ，６ｂの形崩れを生じない。
【００２８】
従来から一般的に多用されている金属製ワイヤーをチャネルとして使用する場合、金属ワイヤー製のチャネルはカップ下側外周縁部に完全固定されることはない。したがって、ワイヤーの長手方向に多少の滑り移動を生じ、この位置ズレはカップの形崩れと成って現れる。勿論、細い金属製ワイヤーは肌に食い込み、ブラジャーを外した場合に跡が残るなどの問題はあるが、ポリエステル短繊維を素材としたチャネル１ａ，１ｂをカップ下側外周縁部に取付けることで、着用感が向上すると共に、ブラジャーを折り畳んでも丸めても該カップ６ａ，６ｂの形崩れが抑制される。
【符号の説明】
【００２９】
１  チャネル
２  ポリエステル短繊維
３  隙間
４  ポリエステル短繊維板
５  盛り上り部
６  カップ
７  正面パネル
８  バックパネル
９  連結部
10  ストラップ
11  表生地
12  裏生地
【図１】
0003200679.tif 000003
【図２】
0003200679.tif 000004
【図３】
0003200679.tif 000005
【図４】
0003200679.tif 000006
【図５】
0003200679.tif 000007
【図６】
0003200679.tif 000008
【図７】
0003200679.tif 000009
【図８】
0003200679.tif 000010